(57)【要約】【課題】  アジャスタを外観体裁を損なわず、且つ、生地の量を僅かなものとし、更にアジャスタの取付精度を著しく向上して、安定して高品質なアジャスタの取付構造を実現する手段を提供することを、発明が解決しようとする課題とする。【解決手段】  アジャスタ本体と該アジャスタ本体に対してスライド調節可能なアジャスタレールを有するサイズ調節用アジャスタにおいて、アジャスタ本体を取付生地に取付けるための基布と、位置決め用舌片とを備え、前記基布は、表面に前記アジャスタ本体を設けるとともに、裏面には前記取付生地に対する仮止め手段を有し、位置決め用舌片は、前記基布に対して脱着可能として設けたことを特徴とするサイズ調節用アジャスタを解決手段とする。【選択図】  図１
2005350810.tif 000002
【特許請求の範囲】
【請求項１】
アジャスタ本体と該アジャスタ本体に対してスライド調節可能なアジャスタレールを有するサイズ調節用アジャスタにおいて、
アジャスタ本体を取付生地に取付けるための基布と、位置決め用舌片とを備え、前記基布は、表面に前記アジャスタ本体を設けるとともに、裏面には前記取付生地に対する仮止め手段を有し、位置決め用舌片は、前記基布に対して脱着可能として設けたことを特徴とするサイズ調節用アジャスタ。
【請求項２】
位置決め用舌片は、表面に目盛を形成したことを特徴とする請求項１記載のサイズ調節用アジャスタ。
【請求項３】
基布の縁部近傍を縫着部とし、仮止め用の接着手段は前記縫着部よりも内側に形成したことを特徴とする請求項１又は２記載のサイズ調節用アジャスタ。
【請求項４】
裏面に仮止め用の接着手段を有する基布と、該基布に対して脱着可能として設けられる位置決め用舌片とを備えたことを特徴とするアジャスタ取付部材。
【請求項５】
位置決め用舌片は、目盛を形成したことを特徴とする請求項４記載のアジャスタ取付部材。
【請求項６】
基布の縁部近傍を縫着部とし、仮止め用の接着手段を、前記縫着部よりも内側となる裏面側位置としたことを特徴とする請求項４又は５記載のアジャスタ取付部材。
【請求項７】
基布の裏面中央において、前記位置決め用舌片の一端が重合し、仮止め用の接着手段によって、該位置決め用舌片の一端を被覆し、基布の裏面及び位置決め用舌片の双方に亘って接着接合したことを特徴とする請求項４、５又は６記載のアジャスタ取付部材。
【請求項８】
繊維若しくは合成樹脂からなり、アジャスタ本体を取付ける基布に対して取付ける取付端部と、該取付端部に連続して表面に目盛を形成してなる位置決め部を形成してなることを特徴とする位置決め用舌片。
【発明の詳細な説明】
【技術分野】
【０００１】
本発明は、衣服等のサイズ調節を行うためのサイズ調節用アジャスタ、及び該サイズ調節用アジャスタを衣服等に対して取付けるためのアジャスタ取付部材に関するものである。
【背景技術】
【０００２】
従来、取付対象生地にアジャスタ本体を当接して取付ける構成として、腰周り寸法が可変となるようにベルトレスズボン又はスカートの腰部に設けられた打合せ部に装着される留め具であって、上記打合せ部の外側重ね部分の裏側に設けられる係止部材と、この係止部材を外側重ね部分の表側から固定する座金と、係止部材に対し腰周り方向にさし通された状態で両側が上記打合せ部における内側重ね部に取付けられる留め帯とからなり、上記係止部材と座金のいずれか一方に上記外側重ね部分を貫通する固定脚、同他方にこの固定脚に抱え込み結合される脚結合部がそれぞれ設けられ、上記留め具の一方向の移動に対しては上記係止歯の通過を許容し、これと反対方向に対しては係止用突条に係止して留め帯の移動を阻止しうるように、内向きに折曲形成されてなるベルトレスズボン、スカートの留め具が公知である（例えば、特許文献１参照。）。
【０００３】
また、本出願人が先にした出願であって、係止突条を具備したアジャスタレールと、該係止突条と係合する係合爪を備えた操作体を基板に対して開閉自在とするとともに、アジャスタレール
を通すための空間を前記操作体及び基板の間に形成したスライダとからなり、ズボン、スカート等のウエスト打ち合わせ部の外側生地内面に前記スライダを、また内側生地外面に前記スライダを通したアジャスタレールの両端を固定して取付けたウエストサイズ調節用アジャスタの取付構造において、外側生地を両面から挟着する内面側部材及び外面側部材からなる一対の挟着部材の前記内面側部材における係合部と、スライダの基板に設けられた基板係合部とを、嵌着手段等で連結するウエストサイズ調節用アジャスタの取付構造が公知である（例えば、特許文献２参照。）。
【０００４】
【特許文献１】実開昭６３−０６０４２５号公報
【特許文献２】特開２００１−１１７１９号公報
【発明の開示】
【発明が解決しようとする課題】
【０００５】
上記いずれの特許文献に開示されるサイズ調節用アジャスタにおいても、固定脚若しくはかしめ爪体は、取付生地を貫通して取付けるため、衣服等の外部に露呈することとなり、外観体裁上問題がある。このため、外観体裁を良好とするためには、外側から当て生地等で被覆する構成を追加する必要がある。しかしながら、当て生地は固定脚若しくはかしめ爪体のみを被覆するだけでは、その部分が継ぎはぎされたような外観となるため十分とはいえず、外観体裁を良好とするために相当量の当て生地を消費する欠点がある。
【０００６】
このように、当て生地の消費量を低減すると外観体裁が劣ることから、本出願人は、当て生地より内側となる前記取付生地自体を少なくして、外観体裁を保つ方法を試みた。その結果、衣服等に当該固定脚若しくはかしめ爪体を取付ける際に、直接位置決めを行うのは、精度を確保するのに非常に苦労を要するものであることがわかった。
【０００７】
また、上記した固定脚若しくはかしめ爪体に代えて、より安価で多用される複数のカシメピンを用いる場合には、更に位置決めの精度が要求され、また、現状では特殊で高価な（専用のプログラムを内蔵した）ミシンを用いなければ、十分な精度が確保されない。このような特殊な装置を用いないまま取付けを行うことは、商品品質の低下を生じたり、アジャスタの位置決めを再度行うことによる製造工程での負担の増加を生じることとなる。
【０００８】
このような事情から、本出願人は、アジャスタ本体の取付について、外観体裁を損なわず、また生地の消費量を僅かなものとした上で、アジャスタの衣服等に対する取付精度を、平易な作業のみで著しく向上することができ、高品質なアジャスタの取付を実現する手段を提供することを、課題とするものである。
【課題を解決するための手段】
【０００９】
アジャスタ本体と該アジャスタ本体に対してスライド調節可能なアジャスタレールを有するサイズ調節用アジャスタにおいて、アジャスタ本体を取付生地に取付けるための基布と、位置決め用舌片とを備え、前記基布は、表面に前記アジャスタ本体を設けるとともに、裏面には前記取付生地に対する仮止め手段を有し、位置決め用舌片は、前記基布に対して脱着可能として設けたことを特徴とするサイズ調節用アジャスタ等を、課題を解決するための手段とする。
【発明の効果】
【００１０】
請求項１に係る発明によれば、位置決め用舌片を使用することによって、アジャスタの取付精度を著しく向上して、安定して高品質なアジャスタの取付構造を実現することができるとともに、前記位置決め用舌片は、前記基布に対して脱着自在に設けた構成としたことによって、位置決め縫着後に基布から取外し、より体裁を向上させることができる。
【００１１】
アジャスタ本体を取付生地に取付けるための基布と、位置決め用舌片とを備え、前記基布は、表面に前記アジャスタ本体を設けるとともに、裏面には前記取付生地に対する仮止め手段を有し、位置決め用舌片は、前記基布に対して脱着可能として設けたことによって、位置決め用舌片で基布を取付生地に対して位置決めして仮止め手段で取付け、基布と取付生地とを縫着することによって、アジャスタが外側に露呈せず、外観体裁を損なわないサイズ調節用アジャスタとすることができる。
【００１２】
また、同構成によって、外部に固定脚若しくはかしめ爪体が露呈しないように設ける生地としてアジャスタ本体よりも僅かに大きい程度の基布を用いることから、外観体裁を良好とするための生地の消費量が僅かですみ、また、基布の取付生地に対する縫着を、通常の一般的なミシンで行うことができることから、非常に縦済性に優れたものとすることができる。
【００１３】
請求項２に係るサイズ調節用アジャスタ、請求項５に係るアジャスタ取付部材、及び請求項８に係る位置決め用舌片によれば、位置決め用舌片に目盛を形成することによって、単に位置決め用舌片の輪郭のみで位置決め箇所を決定するだけでなく、前記目盛を用いて位置決めを行うことができることから、衣服等のサイズに応じて異なる位置決め用舌片を用意する必要がなく、非常に効率的にアジャスタ本体の位置決めを行うことができる。
【００１４】
請求項３に係るサイズ調節用アジャスタ及び請求項６に係るアジャスタ取付部材のように、基布の縁部近傍を縫着部とし、仮止め用の接着手段を、前記縫着部よりも内側となる裏面側位置とした場合には、縫着時に縫着に使用する針が両面接着テープ等の仮止め手段と接触しないことから、針が接着剤等で汚れることがなく、また針の動きの円滑さが確保でき、更に効率的にアジャスタ本体の位置決め作業を行うことができる。
【００１５】
請求項４に係る発明によれば、アジャスタ本体が裏面に仮止め用の接着手段を有する基布と、該基布に対して脱着可能に設けられる位置決め用舌片とを備えたアジャスタ取付部材とすることによって、衣服とは無関係に予め基布に対してアジャスタ本体を取付ければよく、そして、位置決め用舌片によって用意に位置決め箇所を決定することができることから、アジャスタ本体の生地に対する取付手段が、固定脚若しくはかしめ爪体、複数のカシメピン等、どのような位置決め困難な取付手段であっても、迅速且つ正確に、位置決めを行うことができる。
【００１６】
また、請求項７に係る発明のように、位置決め用舌片が基布の縫着位置を含み配置する構成とした場合には、基布の縫着時に位置決め用舌片が取付生地に縫合され、該縫目を切断線として、位置決め用舌片をちぎりとることができ、アジャスタ本体の位置決め処理を円滑に行うことができる。
【発明を実施するための最良の形態】
【００１７】
本発明は、アジャスタ本体１を取付ける基布３と、基布３に対して脱着自在に設けられる位置決め用舌片４を用いることにより、取付生地６に対して、アジャスタ本体１の迅速且つ正確な位置決めを可能とする目的を達成するものである。
【実施例】
【００１８】
図１は本発明の実施例１に係るアジャスタ取付部材Ｂを示す斜視図、図２は図１のＡ−Ａ拡大断面図、図３は実施例１で使用したアジャスタ本体１を示す説明分解斜視図、図４は取付生地６に対してアジャスタ取付部材Ｂを位置決めする状態を示す斜視図、図５は取付生地６に対してアジャスタ取付部材Ｂを位置決めする状態を示す斜視図、図６は取付生地６に対してアジャスタ取付部材Ｂを縫着する状態を示す斜視図、図７はアジャスタ取付部材Ｂの位置決め用舌片４を裁断した状態を示す斜視図、図８はアジャスタ取付部材Ｂに対してアジャスタ本体１及びアジャスタレール２を取付ける状態を示す斜視図、図９はアジャスタ取付部材Ｂとアジャスタ本体１とを取付けた状態を示す斜視図、図１０はアジャスタ取付部材Ｂとアジャスタ本体１とを取付けた状態を示す側面図、図１１はアジャスタ取付部材Ｂの他の実施例を示す側面図（実施例２）、図１２はアジャスタ取付部材Ｂの他の実施例を示す側面図（実施例３）である。
【００１９】
本発明の実施例１に係るサイズ調節アジャスタは、アジャスタ取付部材Ｂと、アジャスタ本体１、アジャスタレール２からなる。そして、前記アジャスタ取付部材Ｂは、図１及び図２に示すように、長さ４０ミリメートル、幅３５ミリメートル、厚さ０．８ミリメートル程度の柔軟な合成皮革からなる基布３と、長さ３５ミリメートル、幅２０ミリメートルの位置決め用舌片４と、仮止め用の接着手段である両面接着テープ５とからなる。
【００２０】
ここで、位置決め用舌片４は、図２に示すように、可撓性を有する合成樹脂製のシートからなり、その一端を基布３に対して取付けるための取付端部４３と、該取付端部４３から連続して表面に目盛４０を形成した位置決め部４４からなる。位置決め部４４には、図１に示すように、取付端部４３とは反対側の端部となる先端４１から５ミリメートル間隔で前記目盛４０となる横線を設けている。
【００２１】
また、両面接着テープ５は、薄膜のテープ地５２の表裏面に夫々接着材５１、剥離紙５０を順次形成したものである。尚、剥離紙５０は接着の際に剥がして使用する。
【００２２】
そして、実施例１に係るアジャスタ取付部材Ｂは、前記基布３の裏面３１中央において、前記位置決め用舌片４の一端である取付端部４３が重合し、両面接着テープ５によって、該位置決め用舌片４の取付端部４３を被覆し、基布３の裏面３１及び位置決め用舌片４の双方に亘って前記両面接着テープ５の接着材５１で接合して構成したものである。
【００２３】
ここで、図２に示すように、前記両面接着テープ５の大きさは、基布３に対して設けられる縫着糸３０にかからない大きさとしており、本実施例１では、長さ１５ミリメートル程度としている。
また、両面接着テープ５における取付生地当接側には、剥離紙５０が取付けらた状態が保たれている。
【００２４】
更に、本実施例１では、アジャスタ取付部材Ｂは、平面視において、基布３の前側端部３２からの位置決め用舌片４の突出量を２０ミリメートルとしている。アジャスタ取付部材Ｂにおける基布３、位置決め用舌片４、両面接着テープ５は、平面上で機械的に取付けるため、容易に十分な精度で取付けることができる。
【００２５】
本発明に係るアジャスタ取付部材の使用については、アジャスタ本体１の一部のみを先に基布３に対して取付けて位置決めする方法と、アジャスタ本体１全体を基布３に取付けた上で、位置決めする方法のいずれによっても行うことができる。
【００２６】
図３に示すように、本発明の実施例１においては、アジャスタ本体１は、操作体１１と基板１０とからなり、更に基板１０は基板底体１４と基板本体１３とからなり、このうち、基板底体１４のみを先にアジャスタ取付部材Ｂに取付けて位置決めする方法によって行っている。
【００２７】
尚、基板底体１４は、前側左右位置には二つのカシメピン取付孔１４０、後方側中央に一つのカシメピン取付孔１４０を備えており、カシメピン７のカシメ脚７０を、カシメピン取付孔１４０と基布３とを連通し、基布３の裏面３１側でかしめることによって、基板底体１４と基布３とを固着した構成である。
【００２８】
そして、取付生地６に対するアジャスタ取付部材Ｂの位置決めは、上記アジャスタ取付部材Ｂの裏面側に設けた両面接着テープ５の剥離紙５０を剥がし、図４及び図５に示すように、取付生地６の端部６０とアジャスタ取付部材Ｂにおける位置決め用舌片４の先端４１若しくは目盛４０とを合わせて、仮止めする。（本実施例では先端４１に合わせた例を図示している。）
この際に、先端４１若しくは目盛４０と取付生地６の端部６０とを平行に保つこと、及び先端４１又は目盛４０によって得られる間隔によって、精度が確保できる。
【００２９】
次に、図６に示すように、通常のミシンを利用して、基布３の縁３３に沿って当該基布３の縁３３近傍と取付生地６とを縫着糸３０で縫合する。この際に、縫着糸３０は、位置決め用舌片４を合わせて縫合しており、位置決め用舌片４にはこの際に縫着糸３０が連通するミシン目が形成されることとなる。
【００３０】
縫着後、図７に示すように、位置決め用舌片４を指で引張って、縫着糸３０が連通するミシン目から裁断して除去する。
本実施例１の場合、基布３と取付生地６との間の目立たない位置に、位置決め用舌片４の切れ端４２が残ることとなる。
【００３１】
以上のようにしてアジャスタ取付部材Ｂの取付が完了する。尚、本実施例１では、アジャスタ本体１の基板底体１４のみをアジャスタ取付部材Ｂに取付けているので、図８に示すように、アジャスタ本体１の残りの部分（即ち、基板本体１３及び操作体１１）を、前記基板底体１４と取付ける。
アジャスタレール２の取付けは、該図８に示すように、アジャスタ本体１とともに取付けたのち、アジャスタレール２の両端を他の生地に縫合することもできるし、アジャスタ本体１をアジャスタ取付部材Ｂに完全に取付けた後に別工程として取付けることもできる。
【００３２】
尚、本実施例１で使用しているアジャスタ本体１について説明すると、先ず、アジャスタ本体１は全て金属製材料からなり、基板底体１４は基板本体１３の後記本体側係合部を案内する案内穴１４１と該案内穴１４１に連続して形成される底体側係合部１４２、及び基板本体１３との係合後不慮の離脱を防止する離脱防止片１４３を有するとともに、該基板底体１４の前側左右位置には前記したように、二つのカシメピン取付孔１４０、後方側中央に一つのカシメピン取付孔１４０を夫々形成している。また、後方側左右には、操作体１１の開口動作を案内する案内用切欠き１４４を設けている。
【００３３】
次に、基板本体１３は、その左右に鉤状に起立させた鉤状壁１３０を備えるとともに、操作体１１の軸穴１１１とともに操作体１１の開閉軸となる軸突起１３１を前記鉤状壁１３０の後端部に形成している。
また、操作体１１は、アジャスタレール２に形成される務歯列２０と係脱自在となる掛止爪１１２を前側に備え、左右は下方へ折曲状態として、前記基板本体１３の鉤城壁１３０の外側面に内接する壁部１１３を備え、更に壁部１１３の後側位置には前記基板本体１３の軸突起１３１が嵌る前記軸穴１１１を備え、前記壁部１１３の後端下部には、前記基板底体１４の案内用切欠き１４４に沿うガイド部１１４を形成した構成である。
【００３４】
アジャスタ本体１における基板本体１３と操作体１１は、軸突起１３１が軸穴１１１内に嵌り込むことにより一体となり、上記基板底体１４の案内穴１４１内に本体側係合部を収め、基板本体１３を前方へスライドさせることにより、本体側係合部と底体側係合部１４２が係合し、基板本体１３及び基板底体１４が一体となる。
【００３５】
操作体１１は通常状態において、軸突起１３１と基板底体１４との挟持によって閉口状態で維持されており、該操作体１１の操作部１１５を指で押圧すると、操作体１１のガイド部１１４が、前記基板底体１４の案内用切欠き１４４に嵌り込むようにガイドされ、操作体１１が開口して、掛止爪１１２がアジャスタレール２の務歯列２０から離れ、アジャスタレール２とアジャスタ本体１の係合が解除される。
【００３６】
以上、実施例の正確な把握のため、実施例１で使用したアジャスタ本体１について説明したが、本発明は、特にアジャスタ本体１について限定するものではなく、上記実施例に関わらず、本発明は、アジャスタレール２に適合可能な種々の公知なアジャスタ本体１を使用することができる。
【００３７】
また、本実施例１に係るアジャスタ取付部材の他の取付方法として、図９及び図１０に示すように、予め基布に対してアジャスタ本体１全体を取付けた上で、取付生地６に対して基布３を縫着することもできる。該取付方法を用いた場合には、大柄なアジャスタ本体１が予め基布３に取付けられていることから、位置決めを行う際に、アジャスタ本体１を把持することで、より扱いやすいという利点を有する。
【００３８】
また、本発明における位置決め用舌片４は、基布３に対して脱着可能に取付けされるものであるが、上記実施例１のように、縫着時のミシン掛けによって形成されるミシン目を利用する場合に限られず、例えば、実施例２として、図１１に示す構成のように、位置決め用舌片における基布３との取付部近傍にミシン目、切込み、切欠き等の裁断補助手段４６を形成しておき、基布３の一端を指で引張ることにより、前記ミシン目から位置決め用舌片４が裁断され、位置決め用舌片４の一部が僅かに基布３に残るものとすることもできるし、或いは、実施例３として、図１２に示す構成のように、離脱可能な程度に仮止め接着された位置決め用舌片４の全てが基布３から剥離するものとすることができる。この場合、仮止め用の接着材４５は、位置決め用舌片４とともに剥がれてもよいし、基布３に残るものであってもよい。更に、位置決め用舌片４は、基布３の表面側、裏面３１側のいずれに対しても、取付けることができるし、二つ折り状とした位置決め用舌片４の一端を基布３の表面側、他端を基布３の裏面３１側に設けるものとすることもできる。
【００３９】
また、本発明によれば、実施例で開示した複数のカシメピンに代えて、固定脚若しくはかしめ爪体を使用することができる。この場合においても、アジャスタ本体は、基布に予め全て取付けることもできるし、アジャスタの一部のみを先に取付けることもできる。
【００４０】
尚、上記した本願発明の実施例１の構成の場合には、縫着時のミシン掛けによって形成されるミシン目を利用するため、前もってミシン目や切込み、切欠き等を形成する手間が省け、作業性の向上、コストの低廉化をより一層図ることができる点で優れている。
【００４１】
また、目盛４０は実施例に示した横線のみならず、縦線を単独で形成することもできるし、前記横線と縦線の両方を形成した桝目状とすることもできる。そして、目盛の形成は、着色により形成する場合のみならず、例えば、プレスや切込み等によって形成することができる。
【００４２】
更に、実施例１における位置決め用舌片４は、正面視矩形であるが、本発明は当該実施例の形状に限られるものではなく、指で摘みやすい形状を付加形成することもできるし、また材質については、上記合成樹脂のみに限らず、紙や布、合成繊維等種々の繊維を利用することができる。
【図面の簡単な説明】
【００４３】
【図１】本発明の実施例１に係るアジャスタ取付部材を示す斜視図である。
【図２】本発明の実施例１に係るアジャスタ取付部材を示すＡ−Ａ拡大断面図である。
【図３】本発明の実施例１で使用したアジャスタ本体を示す説明分解斜視図である。
【図４】取付生地に対してアジャスタ取付部材を位置決めする状態を示す斜視図である。
【図５】取付生地に対してアジャスタ取付部材を位置決めする状態を示す斜視図である。
【図６】取付生地に対してアジャスタ取付部材を縫着する状態を示す斜視図である。
【図７】アジャスタ取付部材の位置決め用舌片を裁断した状態を示す斜視図である。
【図８】アジャスタ取付部材に対してアジャスタ本体及びアジャスタレールを取付ける状態を示す斜視図である。
【図９】本発明のアジャスタ取付部材とアジャスタ本体とを取付けた状態を示す斜視図である。
【図１０】本発明のアジャスタ取付部材とアジャスタ本体とを取付けた状態を示す側面図である。
【図１１】本発明のアジャスタ取付部材の他の実施例を示す側面図である。（実施例２）
【図１２】本発明のアジャスタ取付部材の他の実施例を示す側面図である。（実施例３）
【符号の説明】
【００４４】
Ｂ      アジャスタ取付部材
１      アジャスタ本体
１０    基板
１１    操作体
１１１  軸孔
１１２  掛止爪
１１３  壁部
１１４  ガイド部
１１５  操作部
１３    基板本体
１３１  軸突起
１４    基板底体
１４０  カシメピン取付穴
１４１  案内穴
１４２  底体側係合部
１４３  離脱防止片
１４４  案内用切欠き
２      アジャスタレール
２０    務歯列
３      基布
３０    縫着糸
３１    裏面
３２    前側端部
３３    縁
４      位置決め用舌片
４０    目盛
４１    先端
４２    切れ端
４３    取付端部
４４    位置決め部
４５    接着材
４６    裁断補助手段
５      両面接着テープ
５０    剥離紙
５１    接着材
５２    テープ地
６      取付生地
６０    端部
７      カシメピン
【図１】
2005350810.tif 000003
【図２】
2005350810.tif 000004
【図３】
2005350810.tif 000005
【図４】
2005350810.tif 000006
【図５】
2005350810.tif 000007
【図６】
2005350810.tif 000008
【図７】
2005350810.tif 000009
【図８】
2005350810.tif 000010
【図９】
2005350810.tif 000011
【図１０】
2005350810.tif 000012
【図１１】
2005350810.tif 000013
【図１２】
2005350810.tif 000014